(57)【要約】【課題】分離方式・一体方式のカートリッジの両方を本体筐体に着脱可能にすることを目的とする。【解決手段】画像形成装置は、第１電気的接触面を有するドラムメモリを有する第１ドラムカートリッジと、第２電気的接触面を有する現像メモリを有する第１現像カートリッジとが、感光ドラムの回転軸に沿った第１方向に装着されること、または、第３電気的接触面を有するプロセスメモリを有する連結カバーに連結されたカートリッジが第１方向に装着されることを許容する本体筐体２を備える。本体筐体２は、第１ドラムカートリッジが本体筐体に装着された場合に第１電気的接触面と接触する第１コネクタＣＮ１と、第１現像カートリッジが本体筐体２に装着された場合に第２電気的接触面と接触する第２コネクタＣＮ２を有する。第３電気的接触面は、連結カバーで連結されたカートリッジが本体筐体２に装着された場合に第１コネクタＣＮ１と接触する。【選択図】図７
2020144153.tif 000002
【特許請求の範囲】
【請求項１】
第１方向に延びる第１軸について回転可能な感光ドラムと、前記感光ドラムに関する情報であるドラム情報を記憶するドラムメモリであって、第１電気的接触面を有するドラムメモリと、を有する第１ドラムカートリッジと、前記第１方向に延びる第２軸について回転可能な現像ローラと、トナーを収容する現像筐体と、前記現像ローラまたは前記トナーに関する現像情報を記憶する現像メモリであって、第２電気的接触面を有する現像メモリと、を有する第１現像カートリッジとが、前記第１方向に装着されること、または、
前記感光ドラムを有する第２ドラムカートリッジ、および、前記現像ローラと前記現像筐体とを有する第２現像カートリッジが、前記ドラム情報および前記現像情報を記憶するプロセスメモリであって、第３電気的接触面を有するプロセスメモリを有する連結カバーに連結された状態で、前記第１方向に装着されること、を許容する本体筐体を備える画像形成装置であって、
前記本体筐体は、
前記第１ドラムカートリッジが前記本体筐体に装着された場合に、前記第１電気的接触面と接触する第１コネクタと、
前記第１現像カートリッジが前記本体筐体に装着された場合に、前記第２電気的接触面と接触する第２コネクタと、を有し、
前記第３電気的接触面は、
前記第２ドラムカートリッジと前記第２現像カートリッジが前記連結カバーで連結された状態で前記本体筐体に装着された場合に、前記第１コネクタまたは前記第２コネクタと接触することを特徴とする画像形成装置。
【請求項２】
前記第３電気的接触面は、
前記第２ドラムカートリッジと前記第２現像カートリッジが前記連結カバーで連結された状態で前記本体筐体に装着された場合に、前記第１コネクタと接触する、ことを特徴とする請求項１に記載の画像形成装置。
【請求項３】
前記連結カバーは、
前記第２ドラムカートリッジと前記第２現像カートリッジが前記連結カバーで連結された状態で前記本体筐体に装着され、前記第３電気的接触面が前記第１コネクタと接触した場合に、前記第１方向において前記第２コネクタと離れて位置する、ことを特徴とする請求項２に記載の画像形成装置。
【請求項４】
前記連結カバーは、
前記第１方向に凹む凹部であって、前記第２ドラムカートリッジと前記第２現像カートリッジが前記連結カバーで連結された状態で前記本体筐体に装着され、前記第３電気的接触面が前記第１コネクタと接触した場合に、前記第２コネクタを覆う凹部を有する、ことを特徴とする請求項３に記載の画像形成装置。
【請求項５】
前記第１ドラムカートリッジおよび前記第２ドラムカートリッジは、
前記ドラムメモリを取り付け可能なドラムフレームを有し、
前記ドラムメモリは、
前記第１方向における前記第１ドラムカートリッジの前記ドラムフレームの一端部に位置し、
前記現像メモリは、
前記第１方向における前記第１現像カートリッジの前記現像筐体の一端部に位置し、
前記連結カバーは、
前記第１方向における前記ドラムフレームの前記一端部と前記第１方向における前記現像筐体の前記一端部を連結する、ことを特徴とする請求項１から請求項４のいずれか１項に記載の画像形成装置。
【請求項６】
前記ドラムメモリは、前記第２ドラムカートリッジの前記ドラムフレームに取り付けられておらず、
前記現像メモリは、前記第２現像カートリッジの前記現像筐体に取り付けられていない、ことを特徴とする請求項５に記載の画像形成装置。
【請求項７】
前記本体筐体は、制御部を有し、
前記制御部は、
前記第１電気的接触面と前記第１コネクタが接触し、前記第２電気的接触面と前記第２コネクタが接触している場合に、前記第１ドラムカートリッジと前記第１現像カートリッジが前記本体筐体に装着されたと判定し、前記第３電気的接触面と前記第１コネクタまたは前記第２コネクタが接触している場合に、前記第２ドラムカートリッジと前記第２現像カートリッジが前記連結カバーで連結されている状態で前記本体筐体に装着されたと判定するカートリッジ判定処理を実行可能である、ことを特徴とする請求項１から請求項６のいずれか１項に記載の画像形成装置。
【請求項８】
前記制御部は、
前記第１ドラムカートリッジまたは前記第２ドラムカートリッジの交換タイミングか否かを判定するドラム交換判定処理と、
前記第１現像カートリッジまたは前記第２現像カートリッジの交換タイミングか否かを判定する現像交換判定処理と、を実行可能である、ことを特徴とする請求項７に記載の画像形成装置。
【請求項９】
ディスプレイまたはスピーカーを備え、
前記制御部は、
前記カートリッジ判定処理において、前記第１ドラムカートリッジと前記第１現像カートリッジが前記本体筐体に装着されたと判定した場合であって、前記ドラム交換判定処理において、前記第１ドラムカートリッジの交換タイミングであると判定した場合に、前記ディスプレイまたはスピーカーに前記第１ドラムカートリッジの交換タイミングであることを示すドラム交換メッセージを報知させ、
前記カートリッジ判定処理において、前記第１ドラムカートリッジと前記第１現像カートリッジが前記本体筐体に装着されたと判定した場合であって、前記現像交換判定処理において、前記第１現像カートリッジの交換タイミングであると判定した場合に、前記ディスプレイまたはスピーカーに前記第１現像カートリッジの交換タイミングであることを示す現像交換メッセージを報知させ、
前記カートリッジ判定処理において、前記第２ドラムカートリッジと前記第２現像カートリッジが前記連結カバーで連結された状態で前記本体筐体に装着されたと判定した場合であって、前記ドラム交換判定処理において、前記第２ドラムカートリッジの交換タイミングであると判定された場合、または、前記現像交換判定処理において、前記第２現像カートリッジの交換タイミングであると判定された場合に、前記ディスプレイまたはスピーカーに前記第２ドラムカートリッジおよび前記第２現像カートリッジの交換タイミングであることを示すプロセス交換メッセージを報知させる、ことを特徴とする請求項８に記載の画像形成装置。
【請求項１０】
前記本体筐体は、
前記ドラム交換メッセージと、前記現像交換メッセージと、前記プロセス交換メッセージと、を記憶する本体メモリを有する、ことを特徴とする請求項９に記載の画像形成装置。
【請求項１１】
前記本体筐体は、
前記第１ドラムカートリッジと前記第１現像カートリッジが前記本体筐体に装着された場合にのみ印刷可能であることを示す第１印刷許可情報、または、前記第２ドラムカートリッジおよび前記第２現像カートリッジが前記連結カバーに連結されている状態で前記本体筐体に装着された場合にのみ印刷可能であることを示す第２印刷許可情報を記憶する本体メモリを有し、
前記制御部は、
前記本体メモリに、前記第１印刷許可情報が記憶され、かつ、前記第２印刷許可情報が記憶されていない場合であって、前記カートリッジ判定処理において、前記第１ドラムカートリッジおよび前記第１現像カートリッジが前記本体筐体に装着されたと判定した場合、印刷を実行し、
前記本体メモリに、前記第１印刷許可情報が記憶され、かつ、前記第２印刷許可情報が記憶されていない場合であって、前記カートリッジ判定処理において、前記第２ドラムカートリッジおよび前記第２現像カートリッジが前記連結カバーに連結された状態で前記本体筐体に装着されたと判定した場合、印刷を実行せず、
前記本体メモリに、前記第２印刷許可情報が記憶され、かつ、前記第１印刷許可情報が記憶されていない場合であって、前記カートリッジ判定処理において、前記第１ドラムカートリッジおよび前記第１現像カートリッジが前記本体筐体に装着されたと判定した場合、印刷を実行せず、
前記本体メモリに、前記第２印刷許可情報が記憶され、かつ、前記第１印刷許可情報が記憶されていない場合であって、前記カートリッジ判定処理において、前記第２ドラムカートリッジおよび前記第２現像カートリッジが前記連結カバーで連結された状態で前記本体筐体に装着されたと判定した場合、印刷を実行することを特徴とする請求項７に記載の画像形成装置。
【請求項１２】
前記本体筐体は、
前記第１コネクタを保持する第１ホルダであって、前記第１ドラムカートリッジが前記本体筐体に装着された状態において、前記本体筐体に対して前記第１ドラムカートリッジおよび前記第１コネクタとともに移動可能な第１ホルダを備えることを特徴とする請求項１から請求項１１のいずれか１項に記載の画像形成装置。
【請求項１３】
前記本体筐体は、
前記第２コネクタを保持する第２ホルダであって、前記第１現像カートリッジが前記本体筐体に装着された状態において、前記本体筐体に対して前記第１現像カートリッジおよび前記第２コネクタとともに移動可能な第２ホルダを備えることを特徴とする請求項１２に記載の画像形成装置。
【請求項１４】
前記第１ドラムカートリッジおよび前記第１現像カートリッジは、前記本体筐体にそれぞれ個別に着脱可能である、ことを特徴とする請求項１から請求項１３のいずれか１項に記載の画像形成装置。
【請求項１５】
前記第１ドラムカートリッジおよび前記第１現像カートリッジが前記本体筐体に装着された状態において、前記第１ドラムカートリッジおよび前記第１現像カートリッジよりも上方に位置する中間転写ベルトと、
用紙を排紙するための排紙部であって、前記中間転写ベルトよりも上方に位置する排紙部と、を備えることを特徴とする請求項１から請求項１４のいずれか１項に記載の画像形成装置。
【発明の詳細な説明】
【技術分野】
【０００１】
本開示は、ドラムカートリッジおよび現像カートリッジを備える画像形成装置に関する。
【背景技術】
【０００２】
従来、本体筐体に対してドラムカートリッジおよび現像カートリッジを感光ドラムの軸方向に着脱可能な画像形成装置が知られている（特許文献１参照）。この技術では、ドラムカートリッジおよび現像カートリッジは、それぞれ本体筐体に対して個別に着脱可能となっている。
【先行技術文献】
【特許文献】
【０００３】
【特許文献１】特開２０１７−１７３８０５号公報
【発明の概要】
【発明が解決しようとする課題】
【０００４】
ところで、従来のようなドラムカートリッジおよび現像カートリッジのそれぞれに、ＩＣチップ（メモリ）を備えることが望まれている。ドラムカートリッジのドラムＩＣチップ（ドラムメモリ）は、ドラムカートリッジに関する情報を記憶している。一方、現像カートリッジの現像ＩＣチップ（現像メモリ）は、現像カートリッジの情報を記憶している。本体筐体にドラムカートリッジおよび現像カートリッジが装着された状態において、本体筐体は、ドラムＩＣチップからドラムカートリッジの情報を読み取るとともに、現像ＩＣチップから現像カートリッジの情報を読み取る。
また、従来のようなドラムカートリッジおよび現像カートリッジをそれぞれ個別に着脱可能な本体筐体に、ドラムカートリッジおよび現像カートリッジを一体化した一体方式カートリッジを着脱可能することも望まれている。
つまり、ドラムカートリッジの情報を記憶したドラムＩＣチップを有するドラムカートリッジおよび現像カートリッジの情報を記憶した現像ＩＣチップを有する現像カートリッジをそれぞれ個別に着脱可能な本体筐体に、ドラムカートリッジおよび現像カートリッジを一体化した一体方式カートリッジであって、ドラムカートリッジの情報および現像カートリッジの情報を記憶したＩＣチップを有する一体方式カートリッジを着脱可能にすることも望まれている。
【０００５】
そこで、本開示は、ドラムカートリッジの情報を記憶したドラムＩＣチップを有するドラムカートリッジおよび現像カートリッジの情報を記憶した現像ＩＣチップを有する現像カートリッジをそれぞれ個別に着脱可能な本体筐体に、ドラムカートリッジおよび現像カートリッジを一体化した一体方式カートリッジであって、ドラムカートリッジの情報および現像カートリッジの情報を記憶したＩＣチップを有する一体方式カートリッジを着脱可能にすることを目的とする。
【課題を解決するための手段】
【０００６】
前記課題を解決するため、本発明に係る画像形成装置は、第１方向に延びる第１軸について回転可能な感光ドラムと、前記感光ドラムに関する情報であるドラム情報を記憶するドラムメモリであって、第１電気的接触面を有するドラムメモリと、を有する第１ドラムカートリッジと、前記第１方向に延びる第２軸について回転可能な現像ローラと、トナーを収容する現像筐体と、前記現像ローラまたは前記トナーに関する現像情報を記憶する現像メモリであって、第２電気的接触面を有する現像メモリと、を有する第１現像カートリッジとが、前記第１方向に装着されること、または、前記感光ドラムを有する第２ドラムカートリッジ、および、前記現像ローラと前記現像筐体とを有する第２現像カートリッジが、前記ドラム情報および前記現像情報を記憶するプロセスメモリであって、第３電気的接触面を有するプロセスメモリを有する連結カバーに連結された状態で、前記第１方向に装着されること、を許容する本体筐体を備える。
前記本体筐体は、前記第１ドラムカートリッジが前記本体筐体に装着された場合に、前記第１電気的接触面と接触する第１コネクタと、前記第１現像カートリッジが前記本体筐体に装着された場合に、前記第２電気的接触面と接触する第２コネクタと、を有する。
前記第３電気的接触面は、前記第２ドラムカートリッジと前記第２現像カートリッジが前記連結カバーで連結された状態で前記本体筐体に装着された場合に、前記第１コネクタまたは前記第２コネクタと接触する。
【０００７】
この構成によれば、連結カバーで連結された第２ドラムカートリッジおよび第２現像カートリッジ、つまり一体方式のカートリッジを本体筐体に装着すると、プロセスメモリの第３電気的接触面が、分離方式のカートリッジ用のコネクタである第１コネクタまたは第２コネクタと接触するので、どちらの方式のカートリッジであっても共通の本体筐体で使用可能とすることができる。また、分離方式のカートリッジ用に本体筐体を設計した場合であっても、本体筐体の設計変更することなく、本体筐体に一体方式のカートリッジを着脱可能にすることができるので、本体筐体の設計にかかるコストを抑えることができる。
【０００８】
また、前記第３電気的接触面は、前記第２ドラムカートリッジと前記第２現像カートリッジが前記連結カバーで連結された状態で前記本体筐体に装着された場合に、前記第１コネクタと接触してもよい。
【０００９】
また、前記連結カバーは、前記第２ドラムカートリッジと前記第２現像カートリッジが前記連結カバーで連結された状態で前記本体筐体に装着され、前記第３電気的接触面が前記第１コネクタと接触した場合に、前記第１方向において前記第２コネクタと離れて位置していてもよい。
【００１０】
これによれば、連結カバーで連結された第２ドラムカートリッジおよび第２現像カートリッジを本体筐体に装着する際に、連結カバーが第２コネクタと干渉するのを抑制することができる。
【００１１】
また、前記連結カバーは、前記第１方向に凹む凹部であって、前記第２ドラムカートリッジと前記第２現像カートリッジが前記連結カバーで連結された状態で前記本体筐体に装着され、前記第３電気的接触面が前記第１コネクタと接触した場合に、前記第２コネクタを覆う凹部を有していてもよい。
【００１２】
これによれば、連結カバーが第２コネクタと干渉するのをより良好に抑制することができる。
【００１３】
また、前記第１ドラムカートリッジおよび前記第２ドラムカートリッジは、前記ドラムメモリを取り付け可能なドラムフレームを有し、前記ドラムメモリは、前記第１方向における前記第１ドラムカートリッジの前記ドラムフレームの一端部に位置し、前記現像メモリは、前記第１方向における前記第１現像カートリッジの前記現像筐体の一端部に位置し、前記連結カバーは、前記第１方向における前記ドラムフレームの前記一端部と前記第１方向における前記現像筐体の前記一端部を連結してもよい。
【００１４】
また、前記ドラムメモリは、前記第２ドラムカートリッジの前記ドラムフレームに取り付けられておらず、前記現像メモリは、前記第２現像カートリッジの前記現像筐体に取り付けられていなくてもよい。
【００１５】
また、前記本体筐体は、制御部を有し、前記制御部は、前記第１電気的接触面と前記第１コネクタが接触し、前記第２電気的接触面と前記第２コネクタが接触している場合に、前記第１ドラムカートリッジと前記第１現像カートリッジが前記本体筐体に装着されたと判定し、前記第３電気的接触面と前記第１コネクタまたは前記第２コネクタが接触している場合に、前記第２ドラムカートリッジと前記第２現像カートリッジが前記連結カバーで連結されている状態で前記本体筐体に装着されたと判定するカートリッジ判定処理を実行可能であってもよい。
【００１６】
また、前記制御部は、前記第１ドラムカートリッジまたは前記第２ドラムカートリッジの交換タイミングか否かを判定するドラム交換判定処理と、前記第１現像カートリッジまたは前記第２現像カートリッジの交換タイミングか否かを判定する現像交換判定処理と、を実行可能であってもよい。
【００１７】
また、前記画像形成装置は、ディスプレイまたはスピーカーを備え、前記制御部は、前記カートリッジ判定処理において、前記第１ドラムカートリッジと前記第１現像カートリッジが前記本体筐体に装着されたと判定した場合であって、前記ドラム交換判定処理において、前記第１ドラムカートリッジの交換タイミングであると判定した場合に、前記ディスプレイまたはスピーカーに前記第１ドラムカートリッジの交換タイミングであることを示すドラム交換メッセージを報知させ、前記カートリッジ判定処理において、前記第１ドラムカートリッジと前記第１現像カートリッジが前記本体筐体に装着されたと判定した場合であって、前記現像交換判定処理において、前記第１現像カートリッジの交換タイミングであると判定した場合に、前記ディスプレイまたはスピーカーに前記第１現像カートリッジの交換タイミングであることを示す現像交換メッセージを報知させ、前記カートリッジ判定処理において、前記第２ドラムカートリッジと前記第２現像カートリッジが前記連結カバーで連結された状態で前記本体筐体に装着されたと判定した場合であって、前記ドラム交換判定処理において、前記第２ドラムカートリッジの交換タイミングであると判定された場合、または、前記現像交換判定処理において、前記第２現像カートリッジの交換タイミングであると判定された場合に、前記ディスプレイまたはスピーカーに前記第２ドラムカートリッジおよび前記第２現像カートリッジの交換タイミングであることを示すプロセス交換メッセージを報知させてもよい。
【００１８】
また、前記本体筐体は、前記ドラム交換メッセージと、前記現像交換メッセージと、前記プロセス交換メッセージと、を記憶する本体メモリを有していてもよい。
【００１９】
また、前記本体筐体は、前記第１ドラムカートリッジと前記第１現像カートリッジが前記本体筐体に装着された場合にのみ印刷可能であることを示す第１印刷許可情報、または、前記第２ドラムカートリッジおよび前記第２現像カートリッジが前記連結カバーに連結されている状態で前記本体筐体に装着された場合にのみ印刷可能であることを示す第２印刷許可情報を記憶する本体メモリを有し、前記制御部は、前記本体メモリに、前記第１印刷許可情報が記憶され、かつ、前記第２印刷許可情報が記憶されていない場合であって、前記カートリッジ判定処理において、前記第１ドラムカートリッジおよび前記第１現像カートリッジが前記本体筐体に装着されたと判定した場合、印刷を実行し、前記本体メモリに、前記第１印刷許可情報が記憶され、かつ、前記第２印刷許可情報が記憶されていない場合であって、前記カートリッジ判定処理において、前記第２ドラムカートリッジおよび前記第２現像カートリッジが前記連結カバーに連結された状態で前記本体筐体に装着されたと判定した場合、印刷を実行せず、前記本体メモリに、前記第２印刷許可情報が記憶され、かつ、前記第１印刷許可情報が記憶されていない場合であって、前記カートリッジ判定処理において、前記第１ドラムカートリッジおよび前記第１現像カートリッジが前記本体筐体に装着されたと判定した場合、印刷を実行せず、前記本体メモリに、前記第２印刷許可情報が記憶され、かつ、前記第１印刷許可情報が記憶されていない場合であって、前記カートリッジ判定処理において、前記第２ドラムカートリッジおよび前記第２現像カートリッジが前記連結カバーで連結された状態で前記本体筐体に装着されたと判定した場合、印刷を実行してもよい。
【００２０】
また、前記本体筐体は、前記第１コネクタを保持する第１ホルダであって、前記第１ドラムカートリッジが前記本体筐体に装着された状態において、前記本体筐体に対して前記第１ドラムカートリッジおよび前記第１コネクタとともに移動可能な第１ホルダを備えていてもよい。
【００２１】
また、前記本体筐体は、前記第２コネクタを保持する第２ホルダであって、前記第１現像カートリッジが前記本体筐体に装着された状態において、前記本体筐体に対して前記第１現像カートリッジおよび前記第２コネクタとともに移動可能な第２ホルダを備えていてもよい。
【００２２】
また、前記第１ドラムカートリッジおよび前記第１現像カートリッジは、前記本体筐体にそれぞれ個別に着脱可能であってもよい。
【００２３】
また、前記第１ドラムカートリッジおよび前記第１現像カートリッジが前記本体筐体に装着された状態において、前記第１ドラムカートリッジおよび前記第１現像カートリッジよりも上方に位置する中間転写ベルトと、用紙を排紙するための排紙部であって、前記中間転写ベルトよりも上方に位置する排紙部と、を備えていてもよい。
【発明の効果】
【００２４】
本発明によれば、ドラムメモリを有するドラムカートリッジおよび現像メモリを有する現像カートリッジをそれぞれ個別に着脱可能な本体筐体に、ドラムカートリッジおよび現像カートリッジを一体化した一体方式カートリッジであって、プロセスメモリを有する一体方式カートリッジを着脱可能にすることができる。
【図面の簡単な説明】
【００２５】
【図１】本発明の一実施形態に係るカラープリンタの概略構成を示す図である。
【図２】カバーを開いた状態のカラープリンタを示す斜視図である。
【図３】第１ドラムカートリッジと第１現像カートリッジの第１方向の一端の構造を示す斜視図である。
【図４】第１ドラムカートリッジと第１現像カートリッジの第１方向の他端の構造を示す斜視図である。
【図５】プロセスカートリッジの第１方向の一端の構造を示す斜視図である。
【図６】プロセスカートリッジの第１方向の他端の構造を示す斜視図である。
【図７】本体筐体の第１コネクタおよび第２コネクタ周りの構造を示す斜視図（ａ）と側面図（ｂ）である。
【図８】第１ドラムカートリッジおよび第１現像カートリッジが第３方向の第１位置に位置するとともに、第１現像カートリッジが接触位置に位置する状態を示す図（ａ）と、第１ドラムカートリッジおよび第１現像カートリッジが第３方向の第１位置に位置するとともに、第１現像カートリッジが離間位置に位置する状態を示す図（ｂ）と、第１ドラムカートリッジおよび第１現像カートリッジが第３方向の第２位置に位置するとともに、第１現像カートリッジが離間位置に位置する状態を示す図（ｃ）である。
【図９】制御部の動作を示すフローチャートである。
【発明を実施するための形態】
【００２６】
次に、本開示の一実施形態について、適宜図面を参照しながら詳細に説明する。なお、以下の説明においては、まず、画像形成装置の一例としてのカラープリンタ１の全体構成を説明する。
【００２７】
図１に示すように、カラープリンタ１は、本体筐体２と、給紙部３と、画像形成部４と、排紙部２１と、を備える。給紙部３は、画像形成部４に用紙Ｐを供給する。画像形成部４は、用紙Ｐに画像を形成する。排紙部２１は、用紙Ｐを排紙する。
【００２８】
給紙部３は、本体筐体２内の下部に位置する。給紙部３は、給紙トレイ３１と、給紙機構３２と、を備える。給紙トレイ３１は、本体筐体２に着脱可能である。給紙機構３２は、用紙Ｐを給紙トレイ３１から画像形成部４に搬送する。
【００２９】
画像形成部４は、４つの第１ドラムカートリッジ４０Ａと、４つの第１現像カートリッジ５０Ａと、露光装置ＳＵと、転写ユニット６０と、定着ユニット７０と、を備える。
【００３０】
第１ドラムカートリッジ４０Ａは、感光ドラム４１と、ドラムフレームＦ１と、ドラムメモリＭ１と、図示せぬ帯電器と、を有する。感光ドラム４１は、第１方向に延びる第１軸Ｘ１について回転可能である。４つの第１ドラムカートリッジ４０Ａは、第１方向および上下方向に直交する第２方向に並ぶ。
【００３１】
ドラムメモリＭ１は、感光ドラム４１に関する情報であるドラム情報を記憶するメモリである。ここで、ドラム情報は、例えば、感光ドラム４１の劣化の程度を示す情報とすることができる。なお、感光ドラム４１の劣化の程度を示す情報は、例えば、所定の第１ドラムカートリッジ４０Ａに対応した感光ドラム４１の総回転回数とすることができる。なお、後述する制御部１００は、例えば、プリンタ本体のメモリに記憶された「累積された」感光ドラム４１の回転数（累積回転数）が、ドラムメモリＭ１に記憶された総回転回数を超えた際に、感光ドラム４１の劣化と判断する。
【００３２】
第１現像カートリッジ５０Ａは、現像ローラ５１と、現像筐体Ｆ２と、現像メモリＭ２と、を有する。現像筐体Ｆ２は、トナーを収容する。現像ローラ５１は、第１方向に延びる第２軸Ｘ２について回転可能である。４つの第１現像カートリッジ５０Ａは、第２方向に並ぶ。第１現像カートリッジ５０Ａは、第２方向において、第１ドラムカートリッジ４０Ａと並ぶ。
【００３３】
現像メモリＭ２は、現像ローラ５１またはトナーに関する現像情報を記憶するメモリである。ここで、現像情報は、例えば、トナーの残量を示す情報や、現像ローラ５１の劣化を示す情報などとすることができる。なお、トナーの残量を示す情報は、例えば、所定の第１現像カートリッジ５０Ａに対応した総印刷枚数やドットカウント数などとすることができる。また、現像ローラ５１の劣化を示す情報は、例えば、所定の第１現像カートリッジ５０Ａに対応した現像ローラ５１の総回転回数とすることができる。なお、後述する制御部１００は、例えば、プリンタ本体のメモリに記憶された「累積された」現像ローラ５１の回転数（累積回転数）が、現像メモリＭ２に記憶された総回転回数を超えた際に、現像ローラ５１の劣化と判断する。
【００３４】
露光装置ＳＵは、各第１ドラムカートリッジ４０Ａの下に位置する。露光装置ＳＵは、レーザ光を各感光ドラム４１に出射する。
【００３５】
転写ユニット６０は、４つの感光ドラム４１と排紙部２１との間に位置する。転写ユニット６０は、駆動ローラ６１と、従動ローラ６２と、中間転写ベルト６３と、４つの１次転写ローラ６４と、２次転写ローラ６５と、を備える。
【００３６】
中間転写ベルト６３は、無端状のベルトである。中間転写ベルト６３は、第１ドラムカートリッジ４０Ａおよび第１現像カートリッジ５０Ａが本体筐体２に装着された状態において、第１ドラムカートリッジ４０Ａおよび第１現像カートリッジ５０Ａよりも上方に位置する。
【００３７】
１次転写ローラ６４は、中間転写ベルト６３の内側に位置する。１次転写ローラ６４と感光ドラム４１は、中間転写ベルト６３を挟む。
【００３８】
２次転写ローラ６５は、中間転写ベルト６３の外側に位置する。２次転写ローラ６５と駆動ローラ６１は、中間転写ベルト６３を挟む。
【００３９】
定着ユニット７０は、中間転写ベルト６３の上に位置する。定着ユニット７０は、加熱ローラ７１と、加圧ローラ７２と、を備える。加圧ローラ７２は、加熱ローラ７１に押圧される。
【００４０】
排紙部２１は、本体筐体２の上部に位置する。排紙部２１は、中間転写ベルト６３の上方に位置する。排紙部２１は、排出ローラ９と、排紙面２１Ａと、を備える。排出ローラ９は、用紙Ｐを排紙面２１Ａに向けて搬送する。
【００４１】
このように構成されるカラープリンタ１では、まず、帯電器が、感光ドラム４１の表面を帯電させる。その後、露光装置ＳＵが、感光ドラム４１の表面を露光する。これにより、感光ドラム４１上に静電潜像が形成される。
【００４２】
次いで、現像ローラ５１が、感光ドラム４１上の静電潜像にトナーを供給する。これにより、感光ドラム４１上にトナー像が形成される。そして、感光ドラム４１上のトナー像は、中間転写ベルト６３上に転写される。
【００４３】
用紙Ｐが中間転写ベルト６３と２次転写ローラ６５の間を通過するときに、中間転写ベルト６３上のトナー像は、用紙Ｐ上に転写される。その後、用紙Ｐ上のトナー像は、定着ユニット７０で定着される。次いで、用紙Ｐは、排出ローラ９によって排紙面２１Ａに排出される。
【００４４】
図２に示すように、本体筐体２は、開口２２Ａを有する。カラープリンタ１は、カバーＣを備える。カバーＣは、開口２２Ａを開閉するための部材である。
【００４５】
第１ドラムカートリッジ４０Ａは、開口２２Ａを通って、第１方向に本体筐体２に着脱可能である。第１現像カートリッジ５０Ａは、開口２２Ａを通って、第１方向に本体筐体２に着脱可能である。第１ドラムカートリッジ４０Ａと第１現像カートリッジ５０Ａは、それぞれ第１方向に個別に本体筐体２に着脱可能である。なお、各第１ドラムカートリッジ４０Ａは、同一の構造となっている。また、各第１現像カートリッジ５０Ａは、同一の構造となっている。各第１現像カートリッジ５０Ａは、異なる色のトナーを収容する。
【００４６】
また、本体筐体２は、後述するプロセスカートリッジＰＣ（図５参照）が、第１方向に着脱可能となるようにも構成されている。つまり、本体筐体２は、第１ドラムカートリッジ４０Ａと第１現像カートリッジ５０Ａの着脱を許容するとともに、プロセスカートリッジＰＣの着脱も許容している。
【００４７】
言い換えると、本体筐体２と、第１ドラムカートリッジ４０Ａと、第１現像カートリッジ５０Ａと、プロセスカートリッジＰＣは、画像形成システムを構成している。この画像形成システムは、２種類のカラープリンタを構成することができるシステムである。つまり、本体筐体２と、第１ドラムカートリッジ４０Ａと、第１現像カートリッジ５０Ａとを組み合わせることで、第１のカラープリンタを構成することができる。また、本体筐体２と、プロセスカートリッジＰＣとを組み合わせることで、第２のカラープリンタを構成することができる。
【００４８】
図３に示すように、ドラムフレームＦ１は、第１ドラム外表面Ｆ１１と、第２ドラム外表面Ｆ１２と、を有する。第１ドラム外表面Ｆ１１は、ドラムフレームＦ１の第１方向の一端に位置する。第２ドラム外表面Ｆ１２は、ドラムフレームＦ１の第１方向の他端に位置する。
【００４９】
第２ドラム外表面Ｆ１２は、第１方向において第１ドラム外表面Ｆ１１と間隔を空けて位置する。第２ドラム外表面Ｆ１２は、第１ドラムカートリッジ４０Ａが本体筐体２に装着された状態において、第１ドラム外表面Ｆ１１よりも開口２２Ａ（図２参照）に近い。
【００５０】
ドラムフレームＦ１は、第１ドラム穴Ｄ１と、第２ドラム穴Ｄ２と、２つの保持突起Ｐ１と、ドラムカップリングＣＰ１と、カップリング穴Ｆ１１１と、をさらに有する。第１ドラム穴Ｄ１、第２ドラム穴Ｄ２、各保持突起Ｐ１、ドラムカップリングＣＰ１およびカップリング穴Ｆ１１１は、第１ドラム外表面Ｆ１１に位置する。
【００５１】
第１ドラム穴Ｄ１および第２ドラム穴Ｄ２は、本体筐体２で保持される穴である。各保持突起Ｐ１は、ドラムメモリＭ１を保持する突起である。各保持突起Ｐ１は、第２方向に間隔を開けて配置されている。各保持突起Ｐ１は、ドラムメモリＭ１を第２方向において挟んでいる。
【００５２】
これにより、ドラムフレームＦ１は、ドラムメモリＭ１を取り付け可能となっている。また、ドラムメモリＭ１は、ドラムフレームＦ１に取り付けられた状態において、第１方向におけるドラムフレームＦ１の一端部に位置する。
【００５３】
ドラムメモリＭ１は、２つの第１電気的接触面Ｍ１１を有する。２つの第１電気的接触面Ｍ１１は、第２方向に並んでいる。第１電気的接触面Ｍ１１は、第１ドラムカートリッジ４０Ａが本体筐体２に装着された場合に、後述する第１コネクタＣＮ１（図７参照）と接触する。
【００５４】
ドラムカップリングＣＰ１は、本体筐体２に配置される図示せぬ駆動源から駆動力を受けるカップリングである。ドラムカップリングＣＰ１は、感光ドラム４１の一端に固定されている。ドラムカップリングＣＰ１は、カップリング穴Ｆ１１１内に位置する。
【００５５】
現像筐体Ｆ２は、第１現像外表面Ｆ２１と、第２現像外表面Ｆ２２と、を有する。第１現像外表面Ｆ２１は、現像筐体Ｆ２の第１方向の一端に位置する。第２現像外表面Ｆ２２は、現像筐体Ｆ２の第１方向の他端に位置する。
【００５６】
第２現像外表面Ｆ２２は、第１方向において第１現像外表面Ｆ２１と間隔を空けて位置する。第２現像外表面Ｆ２２は、第１現像カートリッジ５０Ａが本体筐体２に装着された状態において、第１現像外表面Ｆ２１よりも開口２２Ａ（図２参照）に近い。
【００５７】
現像筐体Ｆ２は、第１現像穴Ｇ１と、第２現像穴Ｇ２と、２つの保持突起Ｐ２と、現像カップリングＣＰ２と、カップリング穴Ｆ２１１と、をさらに有する。第１現像穴Ｇ１、第２現像穴Ｇ２、各保持突起Ｐ２、現像カップリングＣＰ２およびカップリング穴Ｆ２１１は、第１現像外表面Ｆ２１に位置する。
【００５８】
ここで、第１現像穴Ｇ１は、円筒状のボスの内側に位置する穴である。このボスの先端面は、第１現像外表面Ｆ２１の一部を構成する。つまり、第１現像外表面Ｆ２１は、凹凸形状となっている。
【００５９】
第１現像穴Ｇ１および第２現像穴Ｇ２は、本体筐体２で保持される穴である。各保持突起Ｐ２は、現像メモリＭ２を保持する突起である。各保持突起Ｐ２は、第１方向と第２方向に直交する第３方向において、間隔を開けて配置されている。各保持突起Ｐ２は、第３方向において、現像メモリＭ２を挟んでいる。
【００６０】
これにより、現像筐体Ｆ２は、現像メモリＭ２を取り付け可能となっている。また、現像メモリＭ２は、現像筐体Ｆ２に取り付けられた状態において、第１方向における現像筐体Ｆ２の一端部に位置する。
【００６１】
現像メモリＭ２は、２つの第２電気的接触面Ｍ２１を有する。２つの第２電気的接触面Ｍ２１は、第３方向に並んでいる。第２電気的接触面Ｍ２１は、第１現像カートリッジ５０Ａが本体筐体２に装着された場合に、後述する第２コネクタＣＮ２（図７参照）と接触する。
【００６２】
現像カップリングＣＰ２は、本体筐体２に配置される図示せぬ駆動源から駆動力を受けるカップリングである。現像カップリングＣＰ２は、カップリング穴Ｆ２１１内に入っている。駆動源の駆動力は、現像カップリングＣＰ２を介して現像ローラ５１に伝達される。
【００６３】
図４に示すように、ドラムフレームＦ１は、第３ドラム穴Ｄ３と、第４ドラム穴Ｄ４と、ドラムハンドルＨ１と、をさらに有する。第３ドラム穴Ｄ３、第４ドラム穴Ｄ４およびドラムハンドルＨ１は、第２ドラム外表面Ｆ１２に位置する。
【００６４】
第３ドラム穴Ｄ３および第４ドラム穴Ｄ４は、カバーＣで保持される穴である。第４ドラム穴Ｄ４は、ドラムハンドルＨ１の外表面に位置する。ドラムハンドルＨ１の外表面は、第２ドラム外表面Ｆ１２の一部を構成する。つまり、第２ドラム外表面Ｆ１２は、凹凸形状となっている。
【００６５】
ドラムハンドルＨ１は、凹みＨ１１を有する。凹みＨ１１は、ユーザが本体筐体２から第１ドラムカートリッジ４０Ａを取り出す場合に、ユーザの指がフックされることを許容する。
【００６６】
現像筐体Ｆ２は、第３現像穴Ｇ３と、第４現像穴Ｇ４と、現像ハンドルＨ２と、をさらに有する。第３現像穴Ｇ３、第４現像穴Ｇ４および現像ハンドルＨ２は、第２現像外表面Ｆ２２に位置する。
【００６７】
第３現像穴Ｇ３および第４現像穴Ｇ４は、カバーＣで保持される穴である。第３現像穴Ｇ３は、円筒状のボスの内側に位置する穴である。第４現像穴Ｇ４は、矩形のボスに形成されている。各ボスの先端面は、第２現像外表面Ｆ２２の一部を構成する。つまり、第２現像外表面Ｆ２２は、凹凸形状となっている。
【００６８】
現像ハンドルＨ２は、凹みＨ２１を有する。凹みＨ２１は、ユーザが本体筐体２から第１現像カートリッジ５０Ａを取り出す場合に、ユーザの指がフックされることを許容する。
【００６９】
図５に示すように、プロセスカートリッジＰＣは、第２ドラムカートリッジ４０Ｂと、第２現像カートリッジ５０Ｂと、連結カバーの一例としての第１連結カバー８０と、第２連結カバー９０と、を有する。第２ドラムカートリッジ４０Ｂは、ドラムメモリＭ１を取り外した状態の第１ドラムカートリッジ４０Ａ（図３参照）と同様の構成となっている。つまり、第２ドラムカートリッジ４０Ｂは、第１ドラムカートリッジ４０Ａと同様の感光ドラム４１、ドラムフレームＦ１およびドラムカップリングＣＰ１を有している。そして、第２ドラムカートリッジ４０ＢのドラムフレームＦ１には、ドラムメモリＭ１が取り付けられていない。
【００７０】
第２現像カートリッジ５０Ｂは、現像メモリＭ２を取り外した状態の第１現像カートリッジ５０Ａと同様の構成となっている。つまり、第２現像カートリッジ５０Ｂは、第１現像カートリッジ５０Ａと同様の現像ローラ５１、現像筐体Ｆ２および現像カップリングＣＰ２を有している。そして、第２現像カートリッジ５０Ｂの現像筐体Ｆ２には、現像メモリＭ２が取り付けられていない。
【００７１】
第１連結カバー８０は、第１方向におけるドラムフレームＦ１の一端部と、第１方向における現像筐体Ｆ２の一端部を連結している。第２連結カバー９０は、第１方向におけるドラムフレームＦ１の他端部と、第１方向における現像筐体Ｆ２の他端部を連結している。詳しくは、第１連結カバー８０および第２連結カバー９０は、ドラムフレームＦ１に固定されている。現像筐体Ｆ２は、第２方向に移動可能となるように第１連結カバー８０および第２連結カバー９０で支持されている。
【００７２】
これにより、第２現像カートリッジ５０Ｂは、現像ローラ５１が感光ドラム４１に接触する接触位置（図８（ａ）の位置）と、現像ローラ５１が感光ドラム４１から離間する離間位置（図８（ｂ）の位置）との間で移動可能となっている。
【００７３】
第１連結カバー８０は、第１穴８１と、第２穴８２と、第３穴８３と、第１長穴８４と、第２長穴８５と、第３長穴８６と、保持穴８７と、凹部８８と、プロセスメモリＭ３と、を有する。
【００７４】
第１穴８１は、第２ドラムカートリッジ４０Ｂの第１ドラム穴Ｄ１を外部に露出させるための穴である。第２穴８２は、第２ドラムカートリッジ４０Ｂの第２ドラム穴Ｄ２を外部に露出させるための穴である。第３穴８３は、ドラムカップリングＣＰ１を外部に露出させるための穴である。
【００７５】
第１長穴８４は、第２現像カートリッジ５０Ｂが接触位置から離間位置までの間の各位置に位置する際に、第２現像カートリッジ５０Ｂの第１現像穴Ｇ１を外部に露出させるための長穴である。第２長穴８５は、第２現像カートリッジ５０Ｂが接触位置から離間位置までの間の各位置に位置する際に、第２現像カートリッジ５０Ｂの第２現像穴Ｇ２を外部に露出させるための長穴である。第３長穴８６は、第２現像カートリッジ５０Ｂが接触位置から離間位置までの間の各位置に位置する際に、現像カップリングＣＰ２を外部に露出させるための長穴である。第２方向における第１長孔８４の長さは、第３方向における第１長孔８４の長さよりも長い。また、第２方向における第２長孔８５の長さは、第３方向における第２長孔８５の長さよりも長い。さらに、第２方向における第３長孔８６の長さは、第３方向における第３長穴８６の長さよりも長い。
【００７６】
保持穴８７は、プロセスメモリＭ３を保持するための穴である。保持穴８７は、矩形の穴である。保持穴８７の第３方向における一端と他端は、プロセスメモリＭ３を第３方向において挟んでいる。
【００７７】
ドラムフレームＦ１の各保持突起Ｐ１は、保持穴８７を通って、第１連結カバー８０から外に突出している。各保持突起Ｐ１は、保持穴８７の第２方向の両端に位置する。各保持突起Ｐ１は、プロセスメモリＭ３を第２方向において挟んでいる。
【００７８】
プロセスメモリＭ３は、前述したドラム情報および現像情報を記憶するメモリである。プロセスメモリＭ３は、２つの第３電気的接触面Ｍ３１を有する。
【００７９】
２つの第３電気的接触面Ｍ３１は、第２方向に並んでいる。第３電気的接触面Ｍ３１は、プロセスカートリッジＰＣが本体筐体２に装着された場合、つまり第２ドラムカートリッジ４０Ｂと第２現像カートリッジ５０Ｂが第１連結カバー８０および第２連結カバー９０で連結された状態で本体筐体２に装着された場合に、後述する第１コネクタＣＮ１（図７参照）と接触する。
【００８０】
凹部８８は、第１方向に凹んでいる。凹部８８は、プロセスカートリッジＰＣが本体筐体２に装着され、第３電気的接触面Ｍ３１が第１コネクタＣＮ１と接触した場合に、第２コネクタＣＮ２を覆う。詳しくは、凹部８８は、プロセスカートリッジＰＣが本体筐体２に装着され、第３電気的接触面Ｍ３１が第１コネクタＣＮ１と接触した場合に、第１方向において第２コネクタＣＮ２と離れて位置する。凹部８８の第２方向の長さは、第２現像カートリッジ５０Ｂとともに移動する第２コネクタＣＮ２の移動範囲よりも長い。
【００８１】
図６に示すように、第２連結カバー９０は、第１穴９１と、第２穴９２と、第１長穴９３と、第２長穴９４と、を有する。第１穴９１は、第２ドラムカートリッジ４０Ｂの第３ドラム穴Ｄ３を外部に露出させるための穴である。第２穴９２は、感光ドラム４１の他端部を外部に露出させるための穴である。
【００８２】
第１長穴９３は、第２現像カートリッジ５０Ｂが接触位置から離間位置までの間の各位置に位置する際に、第２現像カートリッジ５０Ｂの第３現像穴Ｇ３を外部に露出させるための穴である。第２長穴９４は、第２現像カートリッジ５０Ｂが接触位置から離間位置までの間の各位置に位置する際に、第２現像カートリッジ５０Ｂの第４現像穴Ｇ４を外部に露出させるための穴である。第２方向における第１長孔９３の長さは、第３方向における第１長孔９３の長さよりも長い。また、第２方向における第２長孔９４の長さは、第３方向における第２長孔９４の長さよりも長い。
【００８３】
図７（ａ），（ｂ）に示すように、本体筐体２は、側壁２３と、第１ホルダ２００と、第２ホルダ３００と、を備えている。側壁２３は、本体筐体２の側壁を構成している。側壁２３は、第１方向において開口２２Ａ（図２参照）と対面する。
【００８４】
側壁２３は、第１貫通穴２３Ａと、第２貫通穴２３Ｂと、を有する。第１貫通穴２３Ａは、ドラムカップリングＣＰ１に駆動力を付与する第１本体カップリング（図示略）が通る穴である。第１本体カップリングは、ドラムカップリングＣＰ１に接続される第１接続位置と、ドラムカップリングＣＰ１から離れる第１退避位置との間で、第１方向に移動可能である。
【００８５】
第２貫通穴２３Ｂは、現像カップリングＣＰ２に駆動力を付与する第２本体カップリング（図示略）が通る穴である。第２本体カップリングは、現像カップリングＣＰ２に接続される第２接続位置と、現像カップリングＣＰ２から離れる第２退避位置との間で、第１方向に移動可能である。
【００８６】
第１ホルダ２００は、第３方向に移動可能となるように側壁２３に支持されている。第１ホルダ２００は、第１本体突起Ｂ１と、第２本体突起Ｂ２と、第１保持部２１０とを有している。
【００８７】
第１本体突起Ｂ１は、第１ドラムカートリッジ４０ＡまたはプロセスカートリッジＰＣが本体筐体２に装着された状態において、ドラムフレームＦ１の第１ドラム穴Ｄ１に嵌合する突起である。第２本体突起Ｂ２は、第１ドラムカートリッジ４０ＡまたはプロセスカートリッジＰＣが本体筐体２に装着された状態において、ドラムフレームＦ１の第２ドラム穴Ｄ２に嵌合する突起である。
【００８８】
第１保持部２１０は、２つの第１コネクタＣＮ１を保持するための部位である。各第１コネクタＣＮ１は、後述する制御部１００に接続されている。各第１コネクタＣＮ１は、第２方向に並んでいる。
【００８９】
第１保持部２１０は、２つの保持穴２１１と、２つの係合穴２１２と、２つの支持壁２１３と、を有する。保持穴２１１は、第１コネクタＣＮ１を保持するための穴である。各保持穴２１１は、第２方向に並んでいる。各保持穴２１１は、第２方向において、各係合穴２１２の間に位置する。
【００９０】
各係合穴２１２は、第１ドラムカートリッジ４０ＡまたはプロセスカートリッジＰＣが本体筐体２に装着された状態において、ドラムフレームＦ１の各保持突起Ｐ１が入る穴である。各係合穴２１２は、第２方向において、各支持壁２１３の間に位置する。各支持壁２１３は、各保持突起Ｐ１を第１方向にガイドする壁である。
【００９１】
以上のように構成される第１ホルダ２００は、第１ドラムカートリッジ４０Ａが本体筐体２に装着された状態において、本体筐体２に対して第１ドラムカートリッジ４０Ａおよび第１コネクタＣＮ１とともに第３方向に移動可能となっている。また、第１ホルダ２００は、プロセスカートリッジＰＣが本体筐体２に装着された状態において、本体筐体２に対してプロセスカートリッジＰＣ（第２ドラムカートリッジ４０Ｂ）および第１コネクタＣＮ１とともに第３方向に移動可能となっている。
【００９２】
第２ホルダ３００は、第２方向および第３方向に移動可能となるように側壁２３に支持されている。第２ホルダ３００は、第３本体突起Ｂ３と、第４本体突起Ｂ４と、第２保持部３１０と、貫通穴３２０と、を有している。
【００９３】
第３本体突起Ｂ３は、第１現像カートリッジ５０ＡまたはプロセスカートリッジＰＣが本体筐体２に装着された状態において、現像筐体Ｆ２の第１現像穴Ｇ１に嵌合する突起である。第４本体突起Ｂ４は、第１現像カートリッジ５０ＡまたはプロセスカートリッジＰＣが本体筐体２に装着された状態において、現像筐体Ｆ２の第２現像穴Ｇ２に嵌合する突起である。
【００９４】
第２保持部３１０は、２つの第２コネクタＣＮ２を保持するための部位である。各第２コネクタＣＮ２は、後述する制御部１００に接続されている。各第２コネクタＣＮ２は、第３方向に並んでいる。
【００９５】
第２保持部３１０は、２つの保持穴３１１と、２つの係合穴３１２と、２つの支持壁３１３と、を有する。保持穴３１１は、第２コネクタＣＮ２を保持するための穴である。各保持穴３１１は、第３方向に並んでいる。各保持穴３１１は、第３方向において、各係合穴３１２の間に位置する。
【００９６】
各係合穴３１２は、第１現像カートリッジ５０Ａが本体筐体２に装着された状態において、現像筐体Ｆ２の各保持突起Ｐ２が入る穴である。各係合穴３１２は、第３方向において、各支持壁３１３の間に位置する。各支持壁３１３は、各保持突起Ｐ２を第１方向にガイドする壁である。
【００９７】
第２保持部３１０は、プロセスカートリッジＰＣが本体筐体２に装着された状態において、第１連結カバー８０の凹部８８で覆われる。また、第２保持部３１０は、凹部８８内において、第２方向および第３方向に第２ホルダ３００とともに移動可能となっている。
【００９８】
貫通穴３２０は、前述した第２本体カップリングが通る穴である。貫通穴３２０は、現像カップリングＣＰ２に対応した位置に位置する。
【００９９】
以上のように構成される第２ホルダ３００は、第１現像カートリッジ５０Ａが本体筐体２に装着された状態において、本体筐体２に対して第１現像カートリッジ５０Ａおよび第２コネクタＣＮ２とともに第２方向および第３方向に移動可能となっている。また、第２ホルダ３００は、プロセスカートリッジＰＣが本体筐体２に装着された状態において、本体筐体２に対して第２現像カートリッジ５０Ｂとともに第２方向および第３方向に移動可能となっている。
【０１００】
なお、図示は省略するが、カバーＣ（図２参照）は、第１ホルダ２００および第２ホルダ３００を備えている。なお、カバーＣの第１ホルダ２００は、第１コネクタＣＮ１および第１保持部２１０を有さない。また、カバーＣの第２ホルダ３００は、第２コネクタＣＮ２および第２保持部３１０を有さない。また、カバーＣの第１ホルダ２００は、ドラムフレームＦ１の他端に位置する第３ドラム穴Ｄ３および第４ドラム穴Ｄ４に嵌る本体突起を適宜有している。さらに、カバーＣの第２ホルダ３００は、現像筐体Ｆ２の他端に位置する第３現像穴Ｇ３および第４現像穴Ｇ４に嵌る本体突起を適宜有している。
【０１０１】
つまり、ドラムフレームＦ１の第１方向の両端部が、側壁２３の第１ホルダ２００とカバーＣの第１ホルダ２００とで支持されている。そして、ドラムフレームＦ１と各第１ホルダ２００は、側壁２３およびカバーＣに対して、ともに移動可能となっている。
【０１０２】
また、現像筐体Ｆ２の第１方向の両端部が、側壁２３の第２ホルダ３００とカバーＣの第２ホルダ３００とで支持されている。そして、現像筐体Ｆ２と各第２ホルダ３００は、側壁２３およびカバーＣに対して、ともに移動可能となっている。
【０１０３】
次に、第１ドラムカートリッジ４０Ａと第１現像カートリッジ５０Ａの動きについて、図８（ａ）〜（ｃ）を参照して詳細に説明する。なお、第２ドラムカートリッジ４０Ｂと第２現像カートリッジ５０Ｂの動きは、第１ドラムカートリッジ４０Ａと第１現像カートリッジ５０Ａの動きと同じであるため、説明は省略する。
【０１０４】
第１ドラムカートリッジ４０Ａと第１現像カートリッジ５０Ａは、第３方向において、第１位置と、第２位置との間で、ともに移動可能となっている。図８（ａ），（ｂ）に示す第１位置において、感光ドラム４１は、中間転写ベルト６３に接触する。図８（ｃ）に示す第２位置において、感光ドラム４１は、中間転写ベルト６３から離間する。
【０１０５】
なお、第１位置および第２位置の両方の位置において、感光ドラム４１と現像ローラ５１の第３方向の位置関係は変わらない。第１現像カートリッジ５０Ａは、第１位置に位置するときに、前述した接触位置と離間位置との間で第２方向に移動する。
【０１０６】
第１ドラムカートリッジ４０Ａと第１現像カートリッジ５０Ａを本体筐体２に装着したときには、図８（ｃ）に示すように、第１ドラムカートリッジ４０Ａと第１現像カートリッジ５０Ａは、第３方向において、ともに第２位置に位置し、かつ、第１現像カートリッジ５０Ａは離間位置に位置する。
【０１０７】
後述する制御部１００によって画像形成処理を実行する場合には、まず、第１ドラムカートリッジ４０Ａと第１現像カートリッジ５０Ａが、図８（ｂ）に示す第１位置にともに移動する。その後、第１現像カートリッジ５０Ａが、図８（ｂ）に示す離間位置から図８（ａ）に示す接触位置に第２方向に移動する。
【０１０８】
画像形成処理が終了した後は、まず、第１現像カートリッジ５０Ａが、図８（ａ）に示す接触位置から図８（ｂ）に示す離間位置に第２方向に移動する。その後、第１ドラムカートリッジ４０Ａと第１現像カートリッジ５０Ａが、図８（ｂ）に示す第１位置から図８（ｃ）に示す第２位置にともに移動する。
【０１０９】
図１に示すように、本体筐体２は、制御部１００と、本体メモリＭ４と、ディスプレイＤＳと、をさらに有している。制御部１００は、ＣＰＵ、ＲＡＭ、ＲＯＭおよび入出力回路を備えており、ＲＯＭ等に記憶されたプログラムやデータに基づいて各種演算処理を行うことによって、制御を実行する。
【０１１０】
本体メモリＭ４は、ドラム交換メッセージと、現像交換メッセージと、プロセス交換メッセージと、を記憶している。ドラム交換メッセージは、第１ドラムカートリッジ４０Ａおよび第１現像カートリッジ５０Ａが本体筐体２に装着された状態において、第１ドラムカートリッジ４０Ａの交換を促すためのメッセージである。
【０１１１】
現像交換メッセージは、第１ドラムカートリッジ４０Ａおよび第１現像カートリッジ５０Ａが本体筐体２に装着された状態において、第１現像カートリッジ５０Ａの交換を促すためのメッセージである。プロセス交換メッセージは、プロセスカートリッジＰＣが本体筐体２に装着された状態において、プロセスカートリッジＰＣの交換を促すためのメッセージである。
【０１１２】
また、本体メモリＭ４は、第１印刷許可情報と、第２印刷許可情報と、を記憶している。第１印刷許可情報は、第１ドラムカートリッジ４０Ａと第１現像カートリッジ５０Ａが本体筐体２に装着された場合にのみ印刷可能であることを示す情報である。第２印刷許可情報は、プロセスカートリッジＰＣが本体筐体２に装着された場合にのみ印刷可能であることを示す情報である。
【０１１３】
本実施形態では、第１印刷許可情報と第２印刷許可情報の両方が本体メモリＭ４に記憶されることで、第１ドラムカートリッジ４０Ａおよび第１現像カートリッジ５０Ａが装着された場合と、プロセスカートリッジＰＣが装着された場合の両方の場合において、印刷可能となっている。
【０１１４】
詳しくは、第１印刷許可情報は、第１ドラムカートリッジ４０Ａおよび第１現像カートリッジ５０Ａに対応した第１識別情報を有する。また、第２印刷許可情報は、プロセスカートリッジＰＣに対応した第２識別情報を有する。
【０１１５】
一方、ドラムメモリＭ１は、第１識別情報を記憶している。現像メモリＭ２は、第１識別情報を記憶している。プロセスメモリＭ３は、第２識別情報を記憶している。
【０１１６】
制御部１００は、第１コネクタＣＮ１または第２コネクタＣＮ２から取得した識別情報が、本体メモリＭ４に記憶された第１識別情報または第２識別情報と一致するかを判定する。制御部１００は、コネクタＣＮ１，ＣＮ２から取得した識別情報が本体メモリＭ４に記憶された第１識別情報と一致すると判定した場合には、第１印刷許可情報に基づいて、第１ドラムカートリッジ４０Ａおよび第１現像カートリッジ５０Ａに適した第１印刷制御を実行する。また、制御部１００は、コネクタＣＮ１，ＣＮ２から取得した識別情報が本体メモリＭ４に記憶された第２識別情報と一致すると判定した場合には、第２印刷許可情報に基づいて、プロセスカートリッジＰＣに適した第２印刷制御を実行する。
【０１１７】
制御部１００は、第１印刷制御を実行する場合、ドラムメモリＭ１および現像メモリＭ２に記憶された情報に基づいて、第１ドラムカートリッジ４０Ａおよび第１現像カートリッジ５０Ａの少なくともいずれか１つの交換タイミングを判定する。制御部１００は、第２印刷制御を実行する場合、プロセスメモリＭ３の情報に基づいて、プロセスカートリッジＰＣの交換タイミングを判定する。
【０１１８】
ディスプレイＤＳは、前述した交換メッセージなどを表示する装置である。制御部１００は、第１ドラムカートリッジ４０Ａ、第１現像カートリッジ５０ＡおよびプロセスカートリッジＰＣの少なくともいずれか１つの交換タイミングであると判定した場合に、交換が必要なカートリッジに対応した交換メッセージを、ディスプレイＤＳに報知させる。
【０１１９】
次に、制御部１００の動作について詳細に説明する。制御部１００は、図９に示す処理を常時繰り返し実行している。
【０１２０】
図９の処理において、制御部１００は、まず、印刷指令があるか否かを判定する（Ｓ１）。ステップＳ１において印刷指令がないと判定した場合には（Ｎｏ）、制御部１００は、本処理を終了する。
【０１２１】
ステップＳ１において印刷指令があると判定した場合には（Ｙｅｓ）、制御部１００は、第１コネクタＣＮ１から情報を取得できたか否かを判定する（Ｓ２）。詳しくは、制御部１００は、ステップＳ２において、第１コネクタＣＮ１から取得した識別情報が、第１識別情報または第２識別情報であるかを判定することで、第１電気的接触面Ｍ１１または第３電気的接触面Ｍ３１が第１コネクタＣＮ１に接触しているか否かを判定する。
【０１２２】
ステップＳ２において第１コネクタＣＮ１から情報を取得できなかったと判定した場合には（Ｎｏ）、制御部１００は、第１ドラムカートリッジ４０ＡまたはプロセスカートリッジＰＣが本体筐体２に装着されていないと判定して、エラーを報知する（Ｓ３）。
【０１２３】
ステップＳ２において第１コネクタＣＮ１から情報を取得できたと判定した場合には（Ｙｅｓ）、制御部１００は、第１コネクタＣＮ１から取得した情報に基づいて、本体筐体２に装着されたカートリッジが、プロセスカートリッジＰＣであるか否かを判定する（Ｓ４）。詳しくは、ステップＳ４において、制御部１００は、第１コネクタＣＮ１から取得した識別情報が、第２識別情報であるか否かを判定することで、第３電気的接触面Ｍ３１と第１コネクタＣＮ１が接触しているか否かを判定し、プロセスカートリッジＰＣが本体筐体２に装着されたか否かを判定する。なお、ステップＳ４の処理は、カートリッジ判定処理に相当する。
【０１２４】
ステップＳ４において本体筐体２に装着されたカートリッジがプロセスカートリッジＰＣでないと判定した場合には（Ｎｏ）、制御部１００は、第２コネクタＣＮ２から情報を取得できたか否かを判定する（Ｓ５）。言い換えると、制御部１００は、ステップＳ５において、第２コネクタＣＮ２から取得した識別情報が、第１識別情報であるか否かを判定することで、第２電気的接触面Ｍ２１が第２コネクタＣＮ２に接触しているか否かを判定する。
【０１２５】
ステップＳ５において第２コネクタＣＮ２から情報を取得できなかったと判定した場合には（Ｎｏ）、制御部１００は、第１現像カートリッジ５０Ａが本体筐体２に装着されていないと判定して、エラーを報知する（Ｓ６）。ステップＳ５において第２コネクタＣＮ２から情報を取得できたと判定した場合には（Ｙｅｓ）、制御部１００は、第１ドラムカートリッジ４０Ａおよび第１現像カートリッジ５０Ａが本体筐体２に装着されたと判定する。つまり、制御部１００は、第１電気的接触面Ｍ１１が第１コネクタＣＮ１に接触し（Ｓ２：Ｙｅｓ，ステップＳ４：Ｎｏ）、第２電気的接触面Ｍ２１が第２コネクタＣＮ２に接触している場合に（Ｓ５：Ｙｅｓ）、第１ドラムカートリッジ４０Ａおよび第１現像カートリッジ５０Ａが本体筐体２に装着されたと判定する。なお、ステップＳ２，Ｓ４，Ｓ５の処理は、カートリッジ判定処理に相当する。
【０１２６】
第１ドラムカートリッジ４０Ａおよび第１現像カートリッジ５０Ａが本体筐体２に装着されたと判定した後（Ｓ５：Ｙｅｓ）、制御部１００は、本体メモリＭ４に第１印刷許可情報が記憶されているか否かを判定する（Ｓ７）。ステップＳ７において第１印刷許可情報が記憶されていないと判定した場合には（Ｎｏ）、制御部１００は、本処理を終了する。
【０１２７】
ステップＳ７において第１印刷許可情報が記憶されていると判定した場合には（Ｙｅｓ）、制御部１００は、印刷処理を実行する（Ｓ８）。ステップＳ８の後、制御部１００は、ドラムメモリＭ１のドラム情報に基づいて第１ドラムカートリッジ４０Ａの交換タイミングであるか否かを判定するドラム交換判定処理を実行する（Ｓ９）。
【０１２８】
ステップＳ９において第１ドラムカートリッジ４０Ａの交換タイミングであると判定した場合には（Ｙｅｓ）、制御部１００は、ディスプレイＤＳに、ドラム交換メッセージを表示する（Ｓ１０）。ステップＳ９において第１ドラムカートリッジ４０Ａの交換タイミングでないと判定した場合には（Ｎｏ）、制御部１００は、現像メモリＭ２の現像情報に基づいて第１現像カートリッジ５０Ａの交換タイミングであるか否かを判定する現像交換判定処理を実行する（Ｓ１１）。
【０１２９】
ステップＳ１１において第１現像カートリッジ５０Ａの交換タイミングであると判定した場合には（Ｙｅｓ）、制御部１００は、ディスプレイＤＳに、現像交換メッセージを表示する（Ｓ１２）。ステップＳ１１において第１現像カートリッジ５０Ａの交換タイミングでないと判定した場合には（Ｎｏ）、制御部１００は、本処理を終了する。
【０１３０】
ステップＳ４においてプロセスカートリッジＰＣが本体筐体２に装着されたと判定した場合には（Ｙｅｓ）、制御部１００は、本体メモリＭ４に第２印刷許可情報が記憶されているか否かを判定する（Ｓ１３）。ステップＳ１３において第２印刷許可情報が記憶されていないと判定した場合には（Ｎｏ）、制御部１００は、本処理を終了する。
【０１３１】
ステップＳ１３において第２印刷許可情報が記憶されていると判定した場合には（Ｙｅｓ）、制御部１００は、印刷処理を実行する（Ｓ１４）。ステップＳ１４の後、制御部１００は、プロセスカートリッジＰＣの交換タイミングであるか否かを判定する（Ｓ１５）。
【０１３２】
詳しくは、ステップＳ１５において、制御部１００は、ドラム交換判定処理と現像交換判定処理を実行する。ステップＳ１５のドラム交換判定処理において、制御部１００は、プロセスメモリＭ３のドラム情報に基づいて、第２ドラムカートリッジ４０Ｂの交換タイミングであるか否かを判定する。ステップＳ１５の現像交換判定処理において、制御部１００は、プロセスメモリＭ３の現像情報に基づいて、第２現像カートリッジ５０Ｂの交換タイミングであるか否かを判定する。
【０１３３】
ステップＳ１５において、制御部１００は、第２ドラムカートリッジ４０Ｂまたは第２現像カートリッジ５０Ｂが交換タイミングであると判定すると、プロセスカートリッジＰＣの交換タイミングであると判定する。また、ステップＳ１５において、制御部１００は、第２ドラムカートリッジ４０Ｂおよび第２現像カートリッジ５０Ｂのいずれもが交換タイミングでないと判定すると、プロセスカートリッジＰＣの交換タイミングでないと判定する。
【０１３４】
ステップＳ１５においてプロセスカートリッジＰＣの交換タイミングであると判定した場合には（Ｙｅｓ）、制御部１００は、ディスプレイＤＳに、プロセス交換メッセージを表示する（Ｓ１６）。ステップＳ１５においてプロセスカートリッジＰＣの交換タイミングでないと判定した場合には（Ｎｏ）、制御部１００は、本処理を終了する。
【０１３５】
次に、制御部１００の動作の一例について説明する。
図２に示すように、第１ドラムカートリッジ４０Ａおよび第１現像カートリッジ５０Ａを本体筐体２に装着すると、図３に示す第１電気的接触面Ｍ１１が図７に示す第１コネクタＣＮ１に接触するとともに、図３に示す第２電気的接触面Ｍ２１が図７に示す第２コネクタＣＮ２に接触する。
【０１３６】
そのため、第１ドラムカートリッジ４０Ａおよび第１現像カートリッジ５０Ａが本体筐体２に装着された状態において、制御部１００は、印刷指令を受けると、図９のステップＳ１：Ｙｅｓ→Ｓ２：Ｙｅｓ→Ｓ４：Ｎｏ→Ｓ５：Ｙｅｓの順に処理を実行することで、第１ドラムカートリッジ４０Ａおよび第１現像カートリッジ５０Ａが本体筐体２に装着されたと判定する。
【０１３７】
本実施形態では、本体メモリＭ４に第１印刷許可情報が記憶されているので、制御部１００は、ステップＳ７でＹｅｓと判定して、印刷処理を実行する（Ｓ８）。印刷処理の終了後、制御部１００は、ドラムメモリＭ１のドラム情報と現像メモリＭ２の現像情報とに基づいて、各カートリッジの交換タイミングを判定する（Ｓ９，Ｓ１１）。
【０１３８】
また、図５に示すプロセスカートリッジＰＣを本体筐体２に装着した場合には、図５に示す第３電気的接触面Ｍ３１が図７に示す第１コネクタＣＮ１に接触するが、第２コネクタＣＮ２には何も接触しない。そのため、プロセスカートリッジＰＣが本体筐体２に装着された状態において、制御部１００は、印刷指令を受けると、図９のステップＳ１：Ｙｅｓ→Ｓ２：Ｙｅｓ→Ｓ４：Ｙｅｓの順に処理を実行することで、プロセスカートリッジＰＣが本体筐体２に装着されたと判定する。
【０１３９】
本実施形態では、本体メモリＭ４に第２印刷許可情報が記憶されているので、制御部１００は、ステップＳ１３でＹｅｓと判定して、印刷処理を実行する（Ｓ１４）。印刷処理の終了後、制御部１００は、プロセスメモリＭ３のドラム情報と現像情報とに基づいて、プロセスカートリッジＰＣの交換タイミングを判定する（Ｓ１５）。
【０１４０】
以上によれば、本実施形態において以下のような効果を得ることができる。
一体方式のカートリッジであるプロセスカートリッジＰＣを本体筐体２に装着すると、プロセスメモリＭ３の第３電気的接触面Ｍ３１が、分離方式のカートリッジである第１ドラムカートリッジ４０Ａ用の第１コネクタＣＮ１と接触するので、どちらの方式のカートリッジであっても共通の本体筐体２で使用可能とすることができる。また、分離方式のカートリッジ用に本体筐体２を設計した場合であっても、本体筐体２を設計変更することなく、本体筐体２に一体方式のカートリッジを着脱可能にすることができる。その結果、本体筐体２の設計にかかるコストを抑えることができる。
【０１４１】
第１連結カバー８０が凹部８８を有するので、プロセスカートリッジＰＣを本体筐体２に装着する際に、第１連結カバー８０が第２コネクタＣＮ２と干渉するのを抑制することができる。
【０１４２】
なお、本開示は前述した実施形態に限定されることなく、以下に例示するように様々な形態で利用できる。以下の説明においては、前述した実施形態と略同様の構造となる部材には同一の符号を付し、その説明は省略する。
【０１４３】
前述した実施形態では、一体方式のプロセスカートリッジＰＣと、分離方式の第１ドラムカートリッジ４０Ａおよび第１現像カートリッジ５０Ａとの両方の方式のカートリッジを、共通の本体筐体２で使用可能（印刷処理を実行可能）に構成したが、本発明はこれに限定されるものではない。例えば、分離方式の第１ドラムカートリッジ４０Ａおよび第１現像カートリッジ５０Ａのみを本体筐体２で使用可能とし、一体方式のプロセスカートリッジＰＣについては本体筐体２で使用不能としてもよい。
【０１４４】
具体的には、本体メモリＭ４に、第１識別情報を記憶させ、第２識別情報を記憶させないように構成すればよい。この場合には、図９のステップＳ２，Ｓ４，Ｓ５でのカートリッジ判定処理において、第１ドラムカートリッジ４０Ａおよび第１現像カートリッジ５０Ａが本体筐体２に装着されたと判定した場合、制御部１００は、ステップＳ７でＹｅｓと判定して、印刷を実行する。また、図９のステップＳ４でのカートリッジ判定処理において、プロセスカートリッジＰＣが本体筐体２に装着されたと判定した場合、制御部１００は、ステップＳ１３でＮｏと判定して、印刷を実行しない。
【０１４５】
また、これとは逆に、分離方式の第１ドラムカートリッジ４０Ａおよび第１現像カートリッジ５０Ａを本体筐体２で使用不能とし、一体方式のプロセスカートリッジＰＣについては本体筐体２で使用可能としてもよい。具体的には、本体メモリＭ４に、第２識別情報を記憶させ、第１識別情報を記憶させないように構成すればよい。この場合には、図９のステップＳ２，Ｓ４，Ｓ５でのカートリッジ判定処理において、第１ドラムカートリッジ４０Ａおよび第１現像カートリッジ５０Ａが本体筐体２に装着されたと判定した場合、制御部１００は、ステップＳ７でＮｏと判定して、印刷を実行しない。また、図９のステップＳ４でのカートリッジ判定処理において、プロセスカートリッジＰＣが本体筐体２に装着されたと判定した場合、制御部１００は、ステップＳ１３でＹｅｓと判定して、印刷を実行する。
【０１４６】
前述した実施形態では、第３電気的接触面Ｍ３１を第１コネクタＣＮ１に接触させたが、本発明はこれに限定されず、例えば、第３電気的接触面を第２コネクタに接触させてもよい。
【０１４７】
前述した実施形態では、交換メッセージのユーザへの報知を、ディスプレイＤＳに交換メッセージを表示することで行ったが、本開示はこれに限定されず、例えば、スピーカーによって交換メッセージを報知してもよい。
【０１４８】
前述した実施形態では、第１コネクタＣＮ１を第３方向に移動可能とし、第２コネクタＣＮ２を第２方向と第３方向に移動可能としたが、本開示はこれに限定されない。例えば、中間転写ベルトが第３方向に移動可能な構造では、第１コネクタを本体筐体に固定し、第２コネクタを第２方向に移動可能としてもよい。また、例えば、第１ドラムカートリッジ４０Ａおよび第１現像カートリッジ５０Ａを本体筐体２に装着したときに、第１ドラムカートリッジ４０Ａが図８（ｃ）の位置に位置するのに対し、第１現像カートリッジ５０Ａが図８（ｂ）の位置に位置する場合には、第１コネクタを第３方向に移動可能とし、第２コネクタを第２方向に移動可能としてもよい。また、例えば、第１ドラムカートリッジ４０Ａおよび第１現像カートリッジ５０Ａを本体筐体２に装着したときに、第１ドラムカートリッジ４０Ａが図８（ｃ）の位置に位置するのに対し、第１現像カートリッジ５０Ａが図８（ａ）の位置に位置する場合には、第１コネクタを第３方向に移動可能とし、第２コネクタを本体筐体に固定してもよい。
【０１４９】
前述した実施形態では、カラープリンタ１に本発明を適用したが、本発明はこれに限定されず、その他の画像形成装置、例えばモノクロのプリンタ、複写機、複合機などに本発明を適用してもよい。
【０１５０】
前述した実施形態および変形例で説明した各要素を、任意に組み合わせて実施してもよい。
【符号の説明】
【０１５１】
１      カラープリンタ
２      本体筐体
４０Ａ  第１ドラムカートリッジ
４０Ｂ  第２ドラムカートリッジ
４１    感光ドラム
５０Ａ  第１現像カートリッジ
５０Ｂ  第２現像カートリッジ
５１    現像ローラ
８０    連結カバー
１００  制御部
ＣＮ１  第１コネクタ
ＣＮ２  第２コネクタ
Ｆ２    現像筐体
Ｍ１    ドラムメモリ
Ｍ２    現像メモリ
Ｍ３    プロセスメモリ
Ｍ１１  第１電気的接触面
Ｍ２１  第２電気的接触面
Ｍ３１  第３電気的接触面
Ｘ１    第１軸
Ｘ２    第２軸
【図１】
2020144153.tif 000003
【図２】
2020144153.tif 000004
【図３】
2020144153.tif 000005
【図４】
2020144153.tif 000006
【図５】
2020144153.tif 000007
【図６】
2020144153.tif 000008
【図７】
2020144153.tif 000009
【図８】
2020144153.tif 000010
【図９】
2020144153.tif 000011